(57)【要約】【課題】太陽電池モジュール（３）の施設（１）を提供する。【解決手段】制御コマンド装置（２）、電源端子を有する、太陽エネルギーを電流に変換する太陽電池モジュール（３）を備える。それぞれの太陽電池モジュール（３）は、電源端子にわたっての電流の通過を命令するブレーカ（１１）、ブレーカ（１１）を制御するよう設計された制御手段（１２）、太陽電池モジュール（３）のブレーカ（１１）の制御手段（１２）と、施設（１）の制御コマンド装置（２）との間の通信を可能にするよう設計された通信手段（１７）を備える。それぞれの太陽電池モジュール（３）は、さらに太陽電池モジュール（３）及び／又は太陽電池モジュール（３）群のグループを一意に識別するよう設計されたアドレシング手段を備える。【選択図】図１
2009224773.tif 000002
【特許請求の範囲】
【請求項１】
太陽電池モジュール（３）の施設（１）であって、前記施設は、
コマンド制御装置（２）、
電源端子（５，６）を備える、太陽エネルギーを電流に変換するよう意図された太陽電池モジュール群（３）のセットであって、それぞれの太陽電池モジュール（３）は、
電源端子（５，６）にわたっての電流の通過を命令するブレーカ（１１）、
前記ブレーカ（１１）を制御するよう設計された制御手段（１２）、
前記太陽電池モジュール（３）の前記ブレーカ（１１）の前記制御手段（１２）と、前記施設（１）の前記制御コマンド装置（２）との間の通信を可能にするよう設計された通信手段（１７，１８）、
前記太陽電池モジュール（３）及び／又は太陽電池モジュール（３）群のグループを一意に識別するよう設計されたアドレシング手段（１６）、
前記太陽電池モジュール（３）及び／又は太陽電池モジュール（３）群のグループの少なくとも１つの動作パラメータを計測する計測手段（１３）
を備える、太陽電池モジュール群（３）のセット、
前記太陽電池モジュール（３）の前記電源端子（５，６）に結合された、例えば直流電池又は配電網のような電気回路をなす、蓄電する蓄電手段（７）及び／又は電気エネルギーを分配する配電手段（８）
を備え、
前記コマンド制御装置（２）は、太陽電池モジュール（３）又は太陽電池モジュール群のグループの動作パラメータを選択的に集めることによって、太陽電池モジュール群（３）のグループを選択的に制御及び／又は停止するよう構成される施設。
【請求項２】
請求項１に記載の施設（１）であって、複数の太陽電池モジュールが直列に接続される、施設。
【請求項３】
請求項１〜２のいずれか１項に記載の施設（１）であって、前記通信手段は有線搬送波電流又はＲＦ波を使う手段を備える、施設。
【請求項４】
請求項１〜３のいずれか１項に記載の施設（１）であって、前記特定のパラメータは電流である、施設。
【請求項５】
請求項１〜４のいずれか１項に記載の施設（１）であって、前記制御手段（１２）は、ガラス及びポリマーの積層体の中に設けられる、施設。
【請求項６】
請求項１〜５のいずれか１項に記載の施設（１）であって、前記アドレシング手段（１６）は、太陽電池モジュール（３）又は太陽電池モジュール群（３）のグループをユニークに特定するよう構成される、個別のアドレス及び太陽電池モジュール群（３）のグループ又は前記フィールド（４）の太陽電池モジュール（３）の前記セットに対応する１つ以上のグループアドレスを備える、施設。
【請求項７】
請求項１〜６のいずれか１項に記載の施設（１）であって、前記制御コマンドポスト（２１）及び太陽電池モジュール（３）の間で通信される制御命令（１４）の完全性及び／又は真正性を確認する検証手段（２２，２３）を備える、施設。
【請求項８】
請求項７に記載の施設（１）であって、前記検証手段（２２，２３）は、制御コマンドポスト（２１）及び太陽電池モジュール（３）の間で伝送されるアクセスコード（２２）を使うよう構成される、施設。
【請求項９】
請求項７〜８のいずれか１項に記載の施設（１）であって、前記検証手段（２２，２３）は、検証コード（２３）を使うよう構成される、施設。
【発明の詳細な説明】
【技術分野】
【０００１】
本発明は、太陽電池セルのモジュールの施設に関する。
【背景技術】
【０００２】
太陽電池セルのモジュールは、好ましくは太陽電池モジュールと呼ばれ得ることに注意されたい。連続する太陽電池モジュールの平面のセットは、太陽電池パネルとも呼ばれる。さらに太陽電池パネルのセットは、太陽輻射から直接に発電するユニットを形成するとき、好ましくは太陽電池ソーラーフィールド（solar field）と呼ばれ得る。このようなフィールドは、屋根の上に、テラスの上に、又は周りに何もない所、例えば空き地の中央にフレームで、又は鉄塔上に設置されているのが従来は見られる。
【０００３】
太陽電池モジュールは、太陽からの輻射エネルギー及び光起電力変換の現象から電気エネルギーを作ることができる。よって太陽電池モジュールは、照射されるとき、電圧を発生し、電流を供給する発電機である。
【０００４】
既知のやり方で、太陽電池モジュール、又は太陽電池モジュール群のセットは、電気的エネルギー貯蔵及び／又は配電手段に結合される。具体的に、太陽電池モジュールは、ＤＣ（直流）蓄電池、又はＡＣ（交流）配電ネットワークに結合することができる。
【０００５】
そのような発電機において故障が発生すると、メンテナンス操作が必要となる。操作者は、太陽電池モジュールのうちのそれぞれをテストすることによって、欠陥のある太陽電池モジュールをまず決定しなければならない。この操作を行うために、操作者は、太陽電池モジュール群のセットの全体にアクセスしなければならないが、そのようなアクセスは、その位置に依存して容易になったり、困難になったりする。このアクセスは、太陽電池モジュールが高い所に、特に屋根の上に位置するときには、なおさらより困難である。
【０００６】
欠陥のあるモジュールを決定したら、それは発電機なので、操作者は、その太陽電池モジュールを分離しなければならない。
【０００７】
さらに操作者は、オフにされている発電機に介入することで、感電又は感電死のリスクを避けるために、電気エネルギー貯蔵及び／又は配電手段を分離しなければならない。
【０００８】
伝統的に、任意の他のエネルギー源は、例えばトリップスイッチ、又は負荷分離スイッチ、又はブレーカによって容易に分離される。
【発明の概要】
【発明が解決しようとする課題】
【０００９】
しかし、太陽電池モジュールは、電圧が高いときには割り込むのが難しいという大きな欠点を呈するＤＣ電流を発生する。この困難を回避するために、一晩待つか、又は太陽電池モジュールにカバーをかけるかのいずれかが得策であるが、これらは簡単ではない。急速開放分離器を使うか、又は磁気遮断器（magnetic-blowout isolators）を使うかが可能であるが、このような機器は非常に珍しく、あるいは静止遮断器（static cutout）使うことが可能である。
【００１０】
本発明は、一つの太陽電池モジュール又は太陽電池モジュール群のセットに対して選択的に動作を行うことができ、施設の限られた改変しか必要としない施設を提案することによって、これらの欠点を全部又は一部解決することを目的とする。
【課題を解決するための手段】
【００１１】
この目的のために、本発明は、太陽電池モジュールの施設を構成し、前記施設は、コマンド制御装置、
電源端子を備える、太陽エネルギーを電流に変換するよう意図された太陽電池モジュール群のセットであって、それぞれの太陽電池モジュールは、
電源端子にわたっての電流の通過を命令するブレーカ、
前記ブレーカを制御するよう設計された制御手段、
前記太陽電池モジュールの前記ブレーカの前記制御手段と、前記施設の前記制御コマンド装置との間の通信を可能にするよう設計された通信手段、
前記太陽電池モジュール及び／又は太陽電池モジュール群のグループを一意に識別するよう設計されたアドレシング手段、
前記太陽電池モジュール及び／又は太陽電池モジュール群のグループの少なくとも１つの動作パラメータを計測する計測手段
を備える、太陽電池モジュール群のセット、
前記太陽電池モジュールの前記電源端子に結合された、例えば直流電池又は配電網のような電気回路をなす、蓄電する蓄電手段及び／又は電気エネルギーを分配する配電手段
を備え、
前記コマンド制御装置は、太陽電池モジュール又は太陽電池モジュール群のグループの動作パラメータを選択的に集めることによって、太陽電池モジュール群のグループを選択的に制御及び／又は停止するよう構成される。
【００１２】
このような装置は、例えば夜を待つような時間的制約なしに、特定の太陽電池モジュール又は太陽電池モジュール群のグループをオンにしたり、オフにしたりできるという大きな効果を呈する。
【００１３】
本発明の構成によって、太陽電池モジュールをオフにすることができ、それによって太陽電池モジュールが例えば悪事をはたらく人によって盗まれたときにも使用不能にすることができる。その結果、太陽電池モジュールを動作不可能にできる効果は、窃盗を防ぐことができる。
【００１４】
さらにこのような施設は、建物のエネルギーのメンテナンス又は管理のために有用な情報を伝送する通信手段を使うことができる。具体的には、メンテナンスの場合、本発明の構成により、それぞれの太陽電池モジュールの適切な動作をチェックし、又は異常を示すことができる。特に建物のエネルギーの管理について、制御コマンド装置は、温度及び湿度のような気候情報のグルーピングを可能にする。
【００１５】
本発明の特徴によれば、複数の太陽電池モジュールは直列に接続される。
【００１６】
太陽電池モジュールの直列構成は、複数のモジュール群によって形成される太陽電池フィールドの出力において高電圧を発生する。
【００１７】
本発明の特徴によれば、通信手段は、有線搬送波電流又はＲＦ波を用いる手段からなる。
【００１８】
これら特徴は、太陽電池モジュール、又は太陽電池モジュール群のセットの状態の診断を実行する可能性を提供し、一方で通信手段のための追加のネットワークケーブリングを要求しない施設を提供する。
【００１９】
有利には、特定のパラメータは、電流である。
【００２０】
好ましくは、制御手段は、太陽電池モジュールのガラス、セル及びポリマーの積層体内部に設けられる。
【００２１】
本発明の特徴によれば、アドレシング手段は、太陽電池モジュール又は太陽電池モジュール群のグループをユニークに特定するよう構成される、個別のアドレス及び太陽電池モジュール群のグループ又はフィールドの太陽電池モジュールのセットに対応する１つ以上のグループアドレスを備える。
【００２２】
有利には、施設は、制御コマンドポスト及び太陽電池モジュールの間で通信される制御命令の完全性及び／又は真正性を確認する検証手段を備える。
【００２３】
好ましくは、検証手段は、制御コマンドポスト及び太陽電池モジュールの間で伝送されるアクセスコードを使うよう構成される。このアクセス制御は、パスワードの一種を構成する。
【００２４】
本発明の特徴によれば、検証手段は、メッセージの完全性をチェックするための検証コードを使うよう構成される。好ましくは、完全性をチェックするための検証コードは、基本パリティチェックを補う「循環冗長チェックサム」によって実現される。循環冗長「チェックサム」（例えば「ＣＲＣ１６」）は、誤り検出の非常に高い可能性を有するという効果を呈し、場合によっては、ダメージを受けたメッセージを再構築するのに用いられ得る。
【図面の簡単な説明】
【００２５】
【図１】本発明による施設の全体の概略図である。
【図２】第１モードの通信を用いた太陽電池モジュールと関連付けられた施設の一部の図である。
【図３】第２モードの通信を用いた太陽電池モジュールと関連付けられた施設の一部の図である。
【図４】太陽電池モジュールを表す図である。
【図５】データフレームの図である。
【図６】制御コマンド装置及びモジュール間の相互作用のフロー図である。
【発明を実施するための形態】
【００２６】
本発明は、添付の図面とともに、以下の詳細な説明によってよりよく理解されよう。
【００２７】
図１に示される実施形態によれば、施設１は、制御コマンド装置２、太陽電池フィールド４と呼ばれる太陽電池モジュール群３のセットを備える。太陽電池フィールド４は、そのそれぞれが一連の太陽電池モジュール群３を備えるいくつかのロウを備え、それぞれの太陽電池モジュール３は、太陽電池セル群のセットを備える。太陽電池モジュール３は、陰の場合に、太陽電池モジュールの１つの（又は１より多い）セル（群）が過度に熱せられることを防ぐ観点から、並列に接続されたバイパスダイオード、特にショットキーダイオードを備え得ることに注意されたい。そのような施設１は、太陽エネルギー及び光電変換から、電気的エネルギー、特に電流を作るよう意図される。
【００２８】
図２に示されるように、それぞれの太陽電池モジュール３は、２つの電源端子、特に入力電源端子５（−）及び出力電源端子６（＋）を備える。太陽電池モジュール３の電源端子５，６において利用可能である、このようにして作られた電気エネルギーを回収する観点から、これらの電源端子５，６は、太陽電池モジュール群３の全てのセットを蓄電池７及び／又は配電手段８に接続することを可能にするよう設計される。
【００２９】
蓄電手段７は、電池を備える。この電池は、太陽電池モジュールによって作られた電気エネルギーを蓄え、需要に従ってそれを取り出すよう意図される。
【００３０】
配電手段８は、インバータを備える。インバータは、電池の、又は太陽電池モジュール３によって作られたＤＣ電流をＡＣ電流に変換することができる電子装置である。より正確には、インバータは、ＤＣ電流を、２３０Ｖ、５０ＨｚのＡＣ電流に変換するが、これは従来の電力網によって提供されるのと類似であり、よって例えば商用２３０Ｖ機器を使うことが可能になる。
【００３１】
蓄電池７及び／又は配電手段８は、制御コマンド装置２が配置される設備構内で一緒にグループ化される。
【００３２】
図２及び図３で示されるように、ブレーカ１１は、それぞれの太陽電池モジュール３に関連付けられる。ブレーカ１１は、太陽電池モジュールと直列に設けられる。より正確には、新規な遠隔制御可能な太陽電池モジュールの電源端子間において一連の太陽電池セル群と直列に置かれる。ブレーカは、太陽電池モジュールの負極側又は正極側に置かれ得る。
【００３３】
このブレーカは、例えばＩＧＢＴサイリスタのような静止装置（static device）であり得る。ＭＯＳＦＥＴトランジスタ、ＧＴＯサイリスタ等、他の装置も有利に採用され得る。
【００３４】
遮断の側の選択は、装置に電源を供給するための実際面だけによって支配され、一方、ブレーカの配置は、遮断装置のフローの指示に必ず従わなければならない。
【００３５】
ブレーカ１１の選択は、採用される基準の最適化に依存することがよく理解されよう。
【００３６】
好ましく採用される選択は、ＭＯＳＦＥＴ技術によって作られた電界効果トランジスタであるか、又はＩＧＢＴ又はＧＴＯサイリスタであり得て、これらは従来のトランジスタに比較して、大幅に制御が簡単になり、導通損失も低く維持できる。特に、図２及び図３に示されるブレーカ１１は、ＩＧＢＴサイリスタである。
【００３７】
ブレーカ１１は、新規な太陽電池モジュール３の電源出力端子間の電流通路に命令するよう意図される。
【００３８】
さらに太陽電池モジュール３は、太陽電池モジュール３それ自身によって作られた電気エネルギーによって好ましくは電源供給される、制御及び通信手段１２，１６，１８を備える。これらの制御手段１２は、ブレーカ１２ａ及びマイクロコントローラ１２ｂを制御する手段を備える。これらは、ブレーカ１１を制御するよう設計される。これらは好ましくは、サイズが小型化されているため、太陽電池モジュール３のガラス及びポリマーのラミネートされた積層体の中に配置され得る。この具体的な特性は、盗難の場合に、太陽電池モジュール３を使うために、制御手段１２を回避することを防止するよう意図される。
【００３９】
計測手段１３は、それぞれの太陽電池モジュール３の近傍に配置され、又は計測されるべき量に関連付けられたセンサの近傍に好ましくは配置される。計測手段１３は、具体的なパラメータの値１３ａを計測するよう設計される。より正確には、計測手段１３は、センサ又はセンサ群のセットを備える。計測される具体的なパラメータは、特に、太陽電池モジュール３の電源端子５，６を流れる電流、及び／又は太陽電池モジュール３の電源端子５，６の間の電圧、及び／又は温度、及び／又は他の動作パラメータである。
【００４０】
それぞれの太陽電池モジュール３は、ノーマルモードと呼ばれる動作の第１モード、及び遠隔制御モードと呼ばれる動作の第２モードを備える。
【００４１】
遠隔制御モードの使用には、太陽電池モジュール３の事前のプログラミングが伴う。これには、運用が始まる時点における自動パラメータ化が伴う。遠隔制御されたモードは、太陽電池モジュール３が、制御命令１４を制御コマンド装置２から端末２１の助けを借りて受け取ることを可能にし、それによって特定のアプリケーションを実行できる。ノーマルモードは、太陽電池モジュールが工場から出荷されるときの動作のモードである。これは図４に示されるように、太陽電池モジュール３が、受け取られた制御命令１４を無視し、従来の太陽電池モジュール１５のように、太陽電池モジュール群３のセット全体に永久的に接続されたままを維持することを可能にする。
【００４２】
マイクロコントローラ１６は、アドレシング手段を備える。特に、アドレシング手段は、モジュールのアドレスに対応する個別のアドレス「Ａｄｄ１」を備える。これはさらに、太陽電池モジュール群３のグループに対応する１つ以上のグループアドレス「Ａｄｄ２」を備える。
【００４３】
これらは、太陽電池モジュール３及び／又は太陽電池モジュール３のグループを一意に特定するよう設計される。よってアドレシング手段は、制御コマンド装置２に基づいて、制御命令１４を特定の太陽電池モジュール３に、又は以前に決定された太陽電池モジュール群３のグループに、又は太陽電池フィールド４を構成するセット全体にアドレス指定する。さらに、アドレシング手段は、制御コマンド装置２が、太陽電池モジュール３の、又は太陽電池モジュール群３のグループの、又は太陽電池フィールド４のモジュール群３の全てのセットの、計測手段１３によって計測されたパラメータの値「Ｄａｔ．」を選択的に集めることを可能にする。
【００４４】
さらに施設１は、施設１の制御コマンド装置２と太陽電池モジュール３との間の通信を可能にする第１及び第２通信手段１７，１８を備える。
【００４５】
図２に示されるように第１実施形態によれば、通信手段１７，１８は、有線搬送波電流を用いて実現される。
【００４６】
図３に示されるように第２実施形態によれば、通信手段１７，１８は、ＲＦ波（高周波）を用いて実現される。ＲＦ波は、具体的にはＷｉ−ｆｉ，Ｚｉｇ−ｂｅｅ，Ｍｉ−Ｗｉ，ブルートゥース又は他のタイプである。
【００４７】
より正確には、通信手段１７，１８は、太陽電池モジュール３のブレーカ１１の制御手段１２及び／又は計測手段１３が制御コマンド装置２と通信することを可能にするよう意図される。具体的に、第１通信手段１７は、制御コマンド装置２のレベルで設けられ、第２通信手段１８は、それぞれの太陽電池モジュール３のレベルで設けられる。通信手段１７，１８は、信号の形態で送信されるデータを送るよう設計されたデータ送信手段を備える。さらに通信手段１７，１８は、データを受信するよう設計されたデータ受信手段を備える。具体的に、送信された、又は受信されたデータは、モジュール３への制御コマンド、又は計測されたパラメータ、制御コマンド装置２への発信の下でのブレーカの状態である。
【００４８】
互いに通信できるために、制御コマンド装置２及び太陽電池モジュール３、及び特にそれらの通信手段１７，１８は、特定のプロトコルを用いる。
【００４９】
この用いられるプロトコルは、７つのレベルを持つプロトコル（ＩＳＯのＯＳＩレベル、「国際標準化機構のオープンシステム相互運用性（Open System Interoperability of the International System Organization）」）である。制御コマンド装置２の、及び太陽電池モジュール３の通信手段１７，１８が互いに通信できるように、これらレベルは、適用される規則を正確に記述する。
【００５０】
プロトコルのシーケンスは、図５の例に表されるような、データフレーム構造を用いて実行される。示される例では、最小フレームは、１０バイトにまで小さくされ、これは、同期開始シーケンス（４つの「Ｎｕｌ」）、２つのアドレス及びデータフィールド（Ａｄｄ−Ｄａｔ）、１つの真正性チェックフィールド（Ｃａｌｌ）及び１つの有効性チェックフィールド（Ｃｒｃ１及びＣｒｃ２）を含む。図５に記述される例に示されるプロトコルは、要件に関してできる限り短く短縮され、アドレシングデータ、情報及びチェックを備え、送信の真正性及び伝送の品質に関する。
【００５１】
図５の情報について示された例において、最初の４バイトは、何も情報を含まず、受信機を起動させることを可能にする。第５バイトＡｄｄ１は、アドレシング手段１６に関する情報を含む。第６バイトＡｄｄ２−Ｄａｔは、アドレスグループについて規定された４ビット、及び送られるべき制御命令１４を符号化する４ビットを備える。この構造は、表現され得る制御命令について１６の可能性を提供することに注意されたい。第７及び第８バイトは、それぞれＣａｌ１及びＣａｌ２であり、ランダムな初期化のチェック、すなわちチェックコード及びアクセスコードに対応する。
【００５２】
第９及び第１０バイトは、それぞれＣＲＣ１及びＣＲＣ２であり、巡回冗長検査符号によるチェックに対応する。
【００５３】
制御コマンド装置２は、制御コマンドポスト２１を備える。制御コマンドポスト２１は、ＥＥＰＲＯＭタイプの読み出し専用メモリを備える。このような読み出し専用メモリは、それを備える装置に電気が供給されなくなっても失われてはいけない情報を記憶するよう設計される。具体的には、アドレス及び制御命令１４は、読み出し専用メモリに記憶される。
【００５４】
「制御コマンド」装置２は、太陽電池モジュール３が遠隔制御モードで動作するときに、無線周波数（例えばＭｉ−Ｗｉ）又は有線搬送波（ＣＰＬ）によって制御命令１４を送信することによって、制御手段１２を制御することを可能にする。「制御コマンド」ポスト２１は、ユーザ及び太陽電池モジュール３の間のインタフェースである。太陽電池モジュール３が遠隔制御モードであるときには、「制御コマンド」ポスト２１は、計測手段１３によって計測された値１３ａを所定の値と、又はユーザによってプログラムされた値と比較することをさらに可能にする。そのプログラミングにしたがって、「制御コマンド」ポスト２１は、計測された値１３ａの関数として特定の制御命令１４を送信する。
【００５５】
施設１は、太陽電池モジュール３に送られた制御命令１４の完全性をチェックするための検証手段をさらに備える。これらの検証手段は、読み出し専用メモリに記憶される。これらは、「制御コマンド」装置２と太陽電池モジュール３との間の通信１７，１８の手段をセキュアにするよう意図される。具体的には、これらは太陽電池モジュール３の制御へのアクセスの権利を検証することを可能にする。
【００５６】
より正確には、検証手段は、アクセスコード２２を用いる。アクセスコード２２は、「制御コマンド」装置２の中に設けられたアクセスコード発生器２２によって発生されたランダムコードである。ランダムコードは、具体的には「制御コマンド」ポスト２１内に記憶される数字である。アクセスコード２２は、サイトを初期化する時に発生される。それはオンデマンドで、「制御コマンド」ポスト２１によって自動的に作られる。初期化されると同時に、アクセスコード２２は、太陽電池モジュール３と「制御コマンド」ポスト２１との間に特定の接続を確立することによって、アドレシング手段１６によって太陽電池モジュール３に通信される。このアクセスコード２２は、制御命令１４を実行するための許可が有効であることを検証できるよう設計される。
【００５７】
さらに検証手段は、好ましくは冗長性に基づく巡回型の、ＣＲＣと呼ばれる、又はペアになった（paired）ランダム型の検証コード２３を用いる。このような検証コード２３は、「制御コマンド」装置２によって実現される太陽電池モジュール３への制御命令１４の完全性を検証するよう意図される。
【００５８】
現場（site）上での施設１の配置は、以下のように行われる。工場を離れるときは太陽電池モジュール３はノーマルモードである。その結果、それは制御命令１４を実行できず、アドレシング手段１６は動作しない。
【００５９】
現場にいったん設置されると、それぞれの太陽電池モジュール３は、初期化され、「制御コマンド」ポスト２１によってプログラムされることによって、遠隔通信モードに移行できる。このステップは太陽電池モジュール３を特定のアプリケーションのためにプログラムすることを可能にする。
【００６０】
太陽電池モジュール３の初期化は、装置２の「制御コマンド」ポスト２１への特定の接続によって実行される。この目的のために、太陽電池モジュールの個別のアドレス、予めユーザによって定義されたグループのアドレス、アクセスコード２２及びチェックコード２３を備える書込命令が、太陽電池モジュール３に送信される。
【００６１】
太陽電池モジュール３は、その個別アドレス、及び太陽電池モジュール３のグループを形成するために他の太陽電池モジュール３と共に運用するのに必要なだけ多くのアドレスを受け取り、記憶する。
【００６２】
アドレシング手段１６は、「制御コマンド」ポスト２１と、太陽電池モジュール３と、又は太陽電池モジュール３と、又は太陽電池モジュール群３のグループと、又は太陽電池モジュール群３の全てのセットとの間の、通信１７，１８の手段の実現を可能にする。
【００６３】
いったん太陽電池モジュール３が初期化されると、それは遠隔制御モードで動作し得る。
【００６４】
この目的のために、「制御コマンド」装置２は、図６に示される制御命令１４を送る。太陽電池モジュール３がその個別のアドレスにおいて制御命令１４を受け取ると、太陽電池モジュール３は、まずこれが有効な命令かどうかを検証する。
【００６５】
制御命令１４は、２つの条件が満たされると有効である。まず、「制御命令」ポスト２１によって送信され、太陽電池モジュール３によって受信されたアクセスコード２２は、現場での設置を初期化した時に太陽電池モジュール３に記憶されたものと対応しなければならない。もう一つは、巡回検証コード２３  ＣＲＣの和の検証が、受信されたメッセージが正しいと思われることを示さなければならない。
【００６６】
その後、太陽電池モジュール３は、アドレシング手段１６によって制御命令１４がそれにアドレシングされていることを検証する。太陽電池モジュール３は、制御命令１４に関連付けられたアドレスが、太陽電池モジュール３のプログラミングのあいだに予め記憶したアドレス群のうちの一つに対応することを検証する。
【００６７】
よって、アクセスコード２２が有効であり、かつ制御命令１４が決定された太陽電池モジュール３にアドレシングされているとき、接続２４は、「制御コマンド」ポスト２１及び太陽電池モジュール３の間に確立され、決定された太陽電池モジュール３は制御命令１４を実行する。
【００６８】
この制御命令１４は、例えば、ブレーカ１１を閉じることである。このような制御命令１４は、電流が流れることを許す。この命令は、太陽電池モジュール３によって記憶される。
【００６９】
太陽電池モジュール３のプログラミングの時に予め決定された時間のあいだ、太陽電池モジュール３が全く電圧を発生しなくなったら、それは切り離される。この現象は、夜の間、光がなくなると起こる。太陽電池モジュール３は、それから再初期化される。太陽電池モジュール３が再び電圧を供給する時、及び好ましくは鍵によって守られている設備建屋９に配置された「制御コマンド」ポスト２１によって定期的に送信される有効な再接続制御命令１４を太陽電池モジュール３が受け取る時、接続は再び確立される。
【００７０】
設置又は使用の現場の変更の場合には、太陽電池モジュール３の割り当ての変更は、ノーマルモードに移行することによってなされることに注意されたい。この目的のために、太陽電池モジュール３は、実行するためには有効でなければならない書込命令を受信する。よって太陽電池モジュール３がノーマルモードに戻るとき、それは新しいアプリケーション（new application）としてプログラムされ得る。
【００７１】
さらに、過去に遠隔制御モードで既に初期化された太陽電池モジュール３は、太陽電池モジュールに以前に含まれているアクセスコード２２を用いて再び初期化され得ることに注意されたい。最後に、「制御コマンド」装置２のユーザが間違ってアクセスコード２２をなくした場合には、その時点で、太陽電池モジュール３を工場に送り返してそれらを再プログラムすることによって、それらがノーマルモードで動作するようにしなければならない。特に、この場合は、セキュアなプロシージャの使用が必要である。
【００７２】
本発明は、具体的な例示的実施形態について説明されてきたが、実施形態は本発明を何ら限定するものではないこと、及び、本発明は、上述の手段の全ての技術的等価物と、それらの組み合わせが本発明の範囲に含まれるならその組み合わせとを含むことは、明らかである。
【図１】
2009224773.tif 000003
【図２】
2009224773.tif 000004
【図３】
2009224773.tif 000005
【図４】
2009224773.tif 000006
【図５】
2009224773.tif 000007
【図６】
2009224773.tif 000008
【外国語明細書】
2009224773000001.pdf